(57)【要約】【課題】  組み立てが容易で水しかも密性を保ち、且つ、材料コストの軽減に寄与できる自動車用サイドミラーに取付ける照明装置用コネクタユニットを提供することにある。【解決手段】  合成樹脂製の本体３と導電材１１とを有し、本体は仕切壁１０の一方側に照明具Ｌを取付ける照明ソケット部３ａを、他方側に電源プラグＤを取付ける電源ソケット部３ａを有し、の照明具取付口部１３ａと電源取付口部１３ｂの開口方向が異なり、導電材は照明具に接触する電極先部４と、電源プラグＤに接触する電極接触片８と、電極先部と電極接触片とに連続する電極支持部６とを有し、電極支持部と電極接触片とが一体を成し、電極先部は照明ソケット部の底部から照明具取付口部に向けて突出する棒状の接触端子４ａと、電極支持部に加締めて固定される電極基部とを有しており、導電材が両口部内への露出部を除いて本体にインサート成形してあることを特徴とする。【選択図】      図１（ａ）（ｂ）（ｃ）
2010105458.tif 000002
【特許請求の範囲】
【請求項１】
自動車用サイドミラーに取付ける照明装置用コネクタユニットであって、
コネクタユニットは、合成樹脂製の本体と、電気を伝える導電材とを有し、
本体は、仕切壁の一方側に照明具を取付ける照明ソケット部を、他方側に電源プラグを取付ける電源ソケット部を有し、
照明ソケット部は照明具取付口部を開口し、電源ソケット部は照明具取付口部とは開口方向の異なる電源取付口部を備え、
導電材は、照明具に電気を伝える電極先部と、電源プラグから電気を受電する電極接触片と、電極先部と電極接触片とに連続する略Ｌ字型の電極支持部とを有し、電極支持部と電極接触片とを一体成形しており、
電極先部は、照明ソケット部の底部から照明具取付口部の開口方向に突出する棒状の接触端子と、電極支持部に加締めて固定される電極基部とを有しており、
導電材は、両口部内への露出部を除いて本体にインサート成形してあることを特徴とする自動車用サイドミラーに取付ける照明装置用コネクタユニット。
【請求項２】
合成樹脂製の本体と、電気を伝える導伝材とを有し、
本体は、仕切壁の一方側に照明具を取付ける照明ソケット部を、他方側に電源プラグを取付ける電源ソケット部を有し、
照明ソケット部の照明具取付口部と、電源ソケット部の電源取付口部との開口方向が９０度前後ずれており、
導伝材は、照明具に電気を伝える電極先部と、電源プラグから電気を受電する電極接触片と、電極先部と電極接触片とに連続する電極支持部とから成り、電極支持部と電極先部とが一体成形され、
電極先部は、照明ソケット部の底部から照明具取付口部の開口方向に突出する棒状の接触端子と、電極支持部に連続する電極基部とを有し、電極支持部は電極接触片に加締めて固定され、
導伝材は、両口部内への露出部を除いて本体にインサート成形してあることを特徴とする自動車用サイドミラーに取付ける照明装置用コネクタユニット。
【発明の詳細な説明】
【技術分野】
【０００１】
本発明は、自動車用サイドミラーに取付ける方向指示灯や足元照明等の照明装置用コネクタユニットに関するものである。
【背景技術】
【０００２】
自動車用のサイドミラーとしては、特開２００６−３２７５１２号公報のものがあり、これは、樹脂成形で得られた本体に照明具と接触する導電材を備えており、導電材は、本体に後付されるものであった。ところが、導電材を本体に組み込む別工程を要することや、コネクタユニットの本体と導電材とが別体であることから隙間が生じ、その隙間から本体内に雨水等が浸水して水密性を確保できず、結果、導電材の腐食が短期間のうちに進んで耐用期間を保てない問題点があった。
【０００３】
そこで、図５に示すような、電極先部２１と電極支持部２２及び電極接触片２３等からなる導電材２４を一枚の板材から折り曲げ加工して一体化したものが考えられていたが、このようなものの場合、曲げ加工により電極先部２１を成形するものであったことから、電極先部の肉厚を確保するために複数段に折り重ねられる。このことから、通常の電極先部に比して重ね折り部分を余分に設ける必要があったため、材料コストの増大を招く問題点があった。
【特許文献１】特開２００６−３２７５１２号公報
【発明の開示】
【発明が解決しようとする課題】
【０００４】
本発明は、上記課題を鑑みてなされたものであり、本体内部の水密性を保つと共に、組み立てが容易であり、しかも、材料コストの軽減に寄与できる自動動車用サイドミラーに取付ける照明装置用コネクタユニットを提供することにある。
【課題を解決するための手段】
【０００５】
本発明は、自動車用サイドミラーに取付ける照明装置用コネクタユニットであって、請求項１は、合成樹脂製の本体と、電気を伝える導電材とを有し、本体は仕切壁の一方側に照明具を取付ける照明ソケット部を、他方側に電源プラグを取付ける電源ソケット部を有し、照明ソケット部は照明具取付口部を開口し、電源ソケット部は照明具取付口部とは開口方向の異なる電源取付口部を備え、導電材は照明具に電気を伝える電極先部と、電源プラグから電気を受電する電極接触片と、電極先部と電極接触片とに連続する略Ｌ字型の電極支持部とを有し、電極支持部と電極接触片とを一体成形しており、電極先部は照明ソケット部の底部から照明具取付口部の開口方向に突出する棒状の接触端子と、電極支持部に加締めて固定される電極基部とを有しており、導電材は両口部内への露出部を除いて本体にインサート成形してあることを特徴とする。
【０００６】
請求項２の照明装置用コネクタユニットは、合成樹脂製の本体と、電気を伝える導伝材とを有し、本体は仕切壁の一方側に照明具を取付ける照明ソケット部を、他方側に電源プラグを取付ける電源ソケット部を有し、照明ソケット部の照明具取付口部と、電源ソケット部の電源具取付口部との開口方向が９０度前後ずれており、導伝材は照明具に電気を伝える電極先部と、電源プラグから電気を受電する電極接触片と、電極先部と電極接触片とに連続する電極支持部とから成り、電極支持部と電極先部とが一体成形され、電極先部は照明ソケット部の底部から照明具取付口部の開口方向に突出する棒状の接触端子と、電極支持部に連続する電極基部とを有し、電極支持部が電極接触片に加締めて固定され、導伝材は両口部内への露出部を除いて本体にインサート成形してあることを特徴とする。
【発明の効果】
【０００７】
本発明による照明装置用コネクタユニットは上記構成であるから、次のような効果を発揮する。
請求項１記載のようにすれば、導電材の電極先部は、電極支持部及び電極接触片と別体に形成してあるとともに、電極先部の電極基部を電極支持部で加締めて取付けてあることで、材料コストの削減に寄与できる。また、導電材の一部を本体にインサート成形することにより、導電材と本体が一体的に固着され、隙間なく緊密なものとなるので、本体と導電材との取付箇所の隙間からの浸水が防がれ、照明装置の耐用性が向上する。
また、請求項２記載のようにすれば、照明ソケット部の照明具取付口部と、電源ソケット部の電源具取付口部との開口方向が９０度前後ずれていることにより、二つの口部の方向が相違して雨水が直接電源側へ浸水する不都合が解消されるので、さらに耐用期間の延長を期待できる。また、電極支持部を電極接触片に加締めて固定するので、一体化が容易になる。
【発明を実施するための最良の形態】
【０００８】
以下に、図面に基づいて本実施による自動車用サイドミラーに取付ける照明装置用コネクタユニットの形態を説明する。
本実施による照明装置用コネクタユニットは図１のように、本体３と導電材１１を有しており、本体３は図３のように、ミラーハウジング１とミラーベース２とからなる自動車用サイドミラーに取付けられる。
【０００９】
ここで、車体Ｊとサイドミラーを構成するミラーベース２との取付構造や、ミラーハウジング１がシャフト（図示省略）によりミラーベース２で略垂直軸回転する構造、また、シャフトとミラーハウジング１との取付構造については、すでに公知のものであるため、それらの説明を省くとともに、本願発明の要部となるコネクタユニットを中心にその構成を詳細に説明する。
【００１０】
ここで、本実施によるコネクタユニットを取付ける対象となる自動車用サイドミラーを構成するミラーハウジング１とミラーベース２について簡単に説明する。
ミラーハウジング１は図３の如く、車体Ｊの前側ドア外側面におけるコーナー部の略三角形状に一致する正面視略三角形状若しくは台形形状のハウジングベース部材１ａと、このハウジングベース部材１ａに保持されるハウジングカバー部材１ｂとを備えている。
【００１１】
ミラーベース２は、ミラーハウジング１を略水平回動可能とする略水平なシャフト固定部２ａを一体に備えている。また、ミラーベース２には、シャフト固定部２ａの周囲に断面円弧形状の外壁部２ｂが一体成形されている。
【００１２】
次に、上述したミラーハウジング１及びミラーベース２の各構成を受けて、本実施によるコネクタユニットの構成について、以下に説明する。
コネクタユニットは図１（ａ）〜（ｃ）に示すように、その全体を合成樹脂で形成した本体３と、本体３に一部をインサートする導電材１１とからなっており、本体３は、仕切壁１０の一方側に照明具Ｌを取付ける照明ソケット部３ａを、他方側に電源プラグＤを取付ける電源ソケット部３ｂを備え、照明ソケット部３ａは、照明具Ｌを嵌挿する照明具取付口部１３ａを有し、電源ソケット部３ｂは、照明具取付口部１３ａの開口方向と異なる方向に開口する電源取付口部１３ｂを有している。具体的には、照明具取付口部１３ａを右向きに開口する照明ソケット部３ａの下に、電源取付口部１３ｂを下向きに開口する電源ソケット部３ｂを備えている。また、電源ソケット部３ｂの周囲には、空間部Ｓを介して外周壁部９が設けてあり、外周壁部９は、仕切壁１０と一体的に成形された筒状をなすものである。
【００１３】
導電材１１は図２（ａ）（ｂ）に示すように、照明具Ｌに電気を伝える電極先部４と、電源ソケットＤより電気を受電する電極接触片８と、電極先部４と電極接触片８とに接続する電極支持部６とから成り、電極先部４は、照明ソケット部３ａの照明具取付口部１３ａに向けて突出する棒状の接触端子４ａと、この接触端子４ａの長手方向の一端側から略垂直に屈曲してなる電極基部４ｂとから略逆Ｌ字状をなしており、接触端子４ａが照明具Ｌに接触して電力を供給するものである。
この電極先部４は、プラス極とマイナス極の両極で対をなすものが左右に間隔をあけて平行配置してある。また、本実施による電極先部４は、具体的に、「０．６４板厚角黄銅線材と０．３板厚リン青銅条材」、「０．６４板厚黄銅線材と０．３板厚リン青銅条材」の２点複合材のうちのいずれかを使用するものである。
【００１４】
電極支持部６は、肉厚が薄く上下に長い金属片の上部における一側面に、上下方向に挿通する保持孔を有するスリーブ状の電極固定部６ａを備えており、その電極固定部６ａに電極先部４の電極基部４ｂを差し込んで加締めることにより、電極先部４と通電可能となるものである。
電極接触片８は、電極支持部６から電源ソケット部３ｂ内に垂下するものであり、肉厚の薄い金属片を曲げ加工することで、略水平な上部片８ａの左右いずれかの端部から垂直下向きに屈曲して下部片８ｂとから略Ｌ字状に形成するものである。
電極接触片８の上部片８ａにおける下部片８ｂと連続しない側の端部は、電極支持部６の下端部と連続しており、下部片８ｂは本体３の電源取付口部１３ｂ内に突出しており、これにより、電源取付口部１３ｂに嵌挿される電源プラグＤと接触可能な状態で配置される。
【００１５】
以上のように、本実施によるコネクタユニットを形成すると、導電材１１の電極接触片８が板状に形成してあることで、電源ソケット部３ｂに嵌挿された電源プラグＤとの接触面積を広くできる一方、導電材１１の電極先部４は、上述した「０．６４板厚角黄銅線材と０．３板厚リン青銅条材」、「０．６４板厚黄銅線材と０．３板厚青銅条材」のいずれかの素材による棒材で形成することができるため、従来のように金属片を折り曲げて肉厚を稼ぐ必要がないことから、本実施によるコネクタユニットを製造したときの材料コストが削減できる。
尚、上記実施形態では、照明具Ｌとして足元照明灯について説明したが、その他、方向指示灯等であってもよい。
【００１６】
図４（ａ）（ｂ）は、本発明による照明装置用コネクタユニットの他の実施例であり、電極先部４は、棒材をＬ字状に曲げて形成した接触端子４ａと電極基部４ｂから成り、電極基部４ｂの下側に電極支持部６を一体的に設け、ほぼコ字状を成し、電極支持部６の下側に電極固定部６ｂを２箇所に設け、その電極固定部６ｂを電極接触片８の上部片８ａに加締めて取付け、導電材１１を構成したものである。
このように形成するものであっても、上記実施形態と略同様に本体３に導電材１１がインサート成形されることで高い水密性を確保することができる。
【産業上の利用可能性】
【００１７】
実施例では、電極先部４の電極基部４ｂと電極支持部６との取付け手段、及び電極支持部６と電極接触片８の上部片８ａとの取付け手段として加締め手段を用いたが、加締め手段以外の溶着、接着手段等を用いても略同様の効果が得られる。
【図面の簡単な説明】
【００１８】
【図１（ａ）（ｂ）（ｃ）】（ａ）は、本実施による照明装置用コネクタユニットの構造を示す縦断面図、（ｂ）はその側面図、（ｃ）は正面図である。
【図２（ａ）（ｂ）】（ａ）は導電材の側面図、（ｂ）は一対の導電材の正面図である。
【図３】本実施による照明装置用コネクタユニットを備えたサイドミラーの取付け状態を示す自動車車体の一部拡大平面図である。
【図４】導電材の他の実施形態を示すもので、(ａ)は加締め前と加締め後の正面図、（ｂ）は加締め前と加締め後の側面図である。
【図５（ａ）（ｂ）】（ａ）は、従来の照明装置用コネクタユニットを構成する導電材の展開図、（ｂ）は加工のちの側面図である。
【符号の説明】
【００１９】
３  本体
３ａ  照明ソケット部
３ｂ  電源ソケット部
４，２１  電極先部（導電材）
４ａ  接触端子
４ｂ  電極基部
６，２２  電極支持部（導電材）
８，２３  電極接触片（導電材）
１０  仕切壁
１１，２４  導電材
１３ａ  照明具取付口部
１３ｂ  電源取付口部
Ｄ  電源プラグ
Ｌ  照明具
【図１（ａ）（ｂ）（ｃ）】
2010105458.tif 000003
【図２（ａ）（ｂ）】
2010105458.tif 000004
【図３】
2010105458.tif 000005
【図４】
2010105458.tif 000006
【図５（ａ）（ｂ）】
2010105458.tif 000007